(57)【要約】      （修正有）【課題】１台のターミナル（受話器又は携帯電話）から、普通電話（ＰＳＴＮ電話）とネットワーク電話（ＶｏＩＰ）のいずれにもかけることができるようにしたコンピュータを提供する。【解決手段】コンピュータ本体１００に、ＰＳＴＮ電話インタフェース１０１及びネットワークインタフェース１０２が含まれている。該コンピュータにおいて、ダイヤルアップ及び電気音響変換の機能のため、キーボタン付き受話器１０６が含まれている。電力を供給しない場合、デジタル制御回路は電話インタフェースモジュールを直接的に該受話器１０６に接続するとともに、ＰＳＴＮバッテリーから駆動を獲得して、ＰＳＴＮ電話の通話機能が実現されることもできる。コンピュータにおいてデジタル制御回路及びそのソフトウェアが含むことにより、ネットワーク電話及びＰＳＴＮ電話に対する管理と切り替えを達成するとともに互いに自動的にスイッチングする機能を実現する。【選択図】図１
0003179360.tif 000002
【実用新案登録請求の範囲】
【請求項１】
通常のコンピュータ本体及びそのシステムを備えるユニバーサル電話機能を集成したコンピュータであって、
ユニバーサルなＰＳＴＮインタフェース及びその通信機能が統合されていることを特徴とするユニバーサル電話機能を集成したコンピュータ。
【請求項２】
前記ユニバーサル電話機能を集成したコンピュータは、キーボタンを有する受話器と、電話インタフェースモジュールと、を備え、コンピュータが起動せず又は電力が供給されない場合もＰＳＴＮ電話をかけることができることを特徴とする請求項１に記載のユニバーサル電話機能を集成したコンピュータ。
【請求項３】
前記ユニバーサル電話機能を集成したコンピュータは、デジタル無線トランシーバモジュール及びその一つ又は複数の携帯電話を含むことにより、コードレス電話の通信システムを構成し、該デジタル無線トランシーバモジュールはブルートゥース、８０２.１１、８０２.１６又は他のデジタル無線通信モードであることを特徴とする請求項１に記載のユニバーサル電話機能を集成したコンピュータ。
【請求項４】
タッチパネル付き携帯電話によって、該タッチスパネルをコンピュータのワイヤレスマウス及び/又はタブレット入力と、コンピュータの第二ディスプレイとに用いることを特徴とする請求項３に記載のユニバーサル電話機能を集成したコンピュータ。
【請求項５】
前記ユニバーサル電話機能を集成したコンピュータは、制御ソフトウェアを含み、コンピュータのディスプレイ及び/又はキーボード/マウスによってＰＳＴＮ電話をかけること及び電話自動応答を行うコンピュータソフトウェア電話の機能を実現することを特徴とする請求項１に記載のユニバーサル電話機能を集成したコンピュータ。
【請求項６】
前記ユニバーサル電話機能を集成したコンピュータにおいて、制御ソフトウェア及びデジタル制御回路が含まれ、前記三種類の電話通信モード、即ち受話器、コードレス電話、コンピュータソフトウェア電話で、ネットワーク電話の機能を利用し、ネットワーク電話の機能とＰＳＴＮ電話の機能が自由に切り替えられることを実現することを特徴とする請求項１に記載のユニバーサル電話機能を集成したコンピュータ。
【請求項７】
コントロールソフトウェアの設置することにより、ネットワークインタフェースからの電話及びＰＳＴＮ電話インタフェースからの電話が互いに自動的にスイッチングできることを特徴とする請求項１又は６に記載のユニバーサル電話機能を集成したコンピュータ。
【請求項８】
ソフトウェア制御によって、ネットワーク及び/又はＰＳＴＮ電話線を通じてファックスの受送信の機能を実現することを特徴とする請求項１に記載のユニバーサル電話機能を集成したコンピュータ。
【請求項９】
ネットワークインタフェース、受話器、コードレス携帯電話及びそれに配置されたカメラによって、ビデオつき又はビデオなしのインターネットチャットを実現して、インターネットチャットを普段電話する際の習慣に一致させ、（公序良俗違反につき、不掲載）又は（公序良俗違反につき、不掲載）のチャットツールがサポートされていることを特徴とする請求項１に記載のユニバーサル電話機能を集成したコンピュータ。
【請求項１０】
該システムは、デスクトップコンピュータ、ノートパソコン及び他の簡易パソコンのいずれかを含むことを特徴とする請求項１に記載のユニバーサル電話機能を集成したコンピュータ。
【請求項１１】
コンピュータ制御ユニットを有するコンピュータ本体と、前記コンピュータ制御ユニットに接続するネットワーク電話のアクセスユニットと、を備えるユニバーサル電話機能を集成したコンピュータであって、
更に、それぞれ前記コンピュータ制御ユニットに接続する普通電話のアクセスユニット、オーディオ入力と出力ユニット、及びデジタル制御ユニット、を備え、
前記デジタル制御ユニットがそれぞれネットワーク電話のアクセスユニット、普通電話のアクセスユニット、およびオーディオ入力と出力ユニットに接続されることにより、前述のネットワーク電話のアクセスユニット及び普通電話のアクセスユニットを管理及び切り替えに用いられ、前述のネットワーク電話のアクセスユニット又は普通電話のアクセスユニットからの信号を処理して前記オーディオ入力と出力ユニットに出力し、前記オーディオ入力と出力ユニットからの信号を処理して前記ネットワーク電話のアクセスユニット又は普通電話のアクセスユニットに出力することを特徴とするユニバーサル電話機能を集成したコンピュータ。
【請求項１２】
前記普通電話のアクセスユニットが市内電話のアクセスユニットを備え、前記市内電話のアクセスユニットが有線公衆電話ネットワークに接続する電話インタフェースと、前記電話インタフェース及びデジタル制御ユニットに接続する電話インタフェースモジュールと、を備え、
前記電話インタフェースモジュールが、前記有線公衆電話ネットワークとの接続を確立して、前記有線公衆電話ネットワークからの音声信号を前記デジタル制御ユニットに出力し、前記オーディオ入力と出力モジュールからの音声信号を前記有線公衆電話ネットワークに出力するために用いられることを特徴とする請求項１１に記載のユニバーサル電話機能を集成したコンピュータ。
【請求項１３】
前記普通電話のアクセスユニットが無線電話のアクセスユニットを備え、前記無線電話のアクセスユニットが無線電話ネットワークに接続する無線電話インタフェースと、前記無線電話インタフェース及びデジタル制御ユニットに接続する無線電話インタフェースモジュールと、を備え、
前記無線電話インタフェースモジュールが、前記無線電話ネットワークとの接続を確立して、前記無線電話ネットワークからの音声信号を前記デジタル制御ユニットに出力し、前記オーディオ入力と出力モジュールからの音声信号を前記無線電話ネットワークに出力するために用いられることを特徴とする請求項１１に記載のユニバーサル電話機能を集成したコンピュータ。
【請求項１４】
前記ネットワークのアクセスユニットがインターネットに接続するネットワークインタフェースと、ネットワークインタフェースモジュールと、オーディオ処理モジュールと、を備え、
前記ネットワークインタフェースモジュールが、前記ネットワークインタフェース及びオーディオ処理モジュールに接続して、前記ネットワークインタフェース側からの信号を処理してその音声信号を前記オーディオ処理モジュールに送信するとともに音声信号を前記ネットワークインタフェースに送信するために用いられ、
前記オーディオ処理モジュールが前記デジタル制御ユニットに接続して、前記ネットワークインタフェースモジュールからの音声信号を処理して前記デジタル制御ユニットに送信し、前記デジタル制御ユニットが送信した音声信号を処理して前記ネットワークインタフェースモジュールに送信することを特徴とする請求項１１に記載のユニバーサル電話機能を集成したコンピュータ。
【請求項１５】
前記コンピュータがビデオ入力と出力ユニットを備えて、前記ビデオ入力と出力ユニットが、デジタル制御ユニットに接続して、普通電話のアクセスユニット又はネットワーク電話のアクセスユニットからのビデオ信号を出力するとともに、入力したビデオ信号を前記普通電話のアクセスユニット又はネットワーク電話のアクセスユニットにより外へ送信することを特徴とする請求項１１に記載のユニバーサル電話機能を集成したコンピュータ。
【請求項１６】
前記オーディオ入力と出力モジュールが前記デジタル制御ユニットに接続する受話器を備えることを特徴とする請求項１１-１５のいずれか一つに
記載のユニバーサル電話機能を集成したコンピュータ。
【請求項１７】
前記オーディオ入力と出力モジュールが無線オーディオ入力と出力モジュールであって、前記無線オーディオ入力と出力モジュールが、前記デジタル制御ユニットに接続するＰＣＭモジュールと、前記ＰＣＭモジュールに接続する無線トランシーバモジュールと、前記無線トランシーバモジュールに接続する無線受話器と、を備えることを特徴とする請求項１６に記載のユニバーサル電話機能を集成したコンピュータ。
【考案の詳細な説明】
【技術分野】
【０００１】
本考案は、マイクロコンピュータのハードウェア、ソフトウェア及びインタフェース技術と、電話及びネット通信技術と、に関する。
【背景技術】
【０００２】
ベルが電話を発明して以来、公衆音声通信技術は長足の発展を遂げた。現在、最も主要な公衆音声通信技術が二種ある。その一種が、普通電話であり、即ち回線交換に基づく有線の公衆電話網（例えばＰＳＴＮ、ＩＳＤＮ等）又は無線の電話網であり、言い換えれば、最も伝統的なの固定電話又は無線電話である。そのもう一種が、近年の急速に発展したパケット交換技術に基づくネットワーク電話、即ちＶｏＩＰ電話である。両種の電話技術はそれぞれ利点及び欠点を有する。ＰＳＴＮ及び無線電話の通話品質が優れて、行き届いたサービスを提供することができ、例えば、様々な公共サービス電話、緊急コールが、住宅用電気の供給がなくても電話を掛けることができるが、しかし通常にコストが高く、特に地域間又は多国間の長距離通話のコストが高い。しかしながら、ＶｏＩＰ電話は、インターネット技術を利用するので、無料のインターネットが通常に通話費用を大きく減少することができ、特に複数のネットワーク側の間で通話が通常無料であるが、しかしパケット交換技術自身の固有の遅延欠陥によって、遅延に敏感する音声通信に対して、通話品質の低下の問題をもたらすことが避けられない。そしてＶｏＩＰ電話が通常に緊急コールを提供することができなく、電力供給がない場合に電話を掛けることもできない。コンピュータの普及につれて、パソコンが多数の家族又は個人の必需品となっており、これにとともに、一般に、もう一つのＰＳＴＮ電話を追加配置することは、通常に他のデスクトップ領域を占用する。
【考案の概要】
【０００３】
本考案は、上述の様々な利点と欠点が十分に考えられて、普通電話及びネットワーク電話を整合したコンピュータシステムを提案する。
【０００４】
本考案が採用された技術方案は、常用コンピュータ本体及びそのシステムを含むユニバーサル電話機能を集成したコンピュータであって、前記コンピュータに常用ＰＳＴＮ電話のインタフェース及びその通信機能が集成されている。
【０００５】
好ましくは、前記ユニバーサル電話機能を集成したコンピュータは、キーボタンを有する受話器と、電話インタフェースモジュールと、を備え、該コンピュータが起動されない場合又は電力を供給しない場合でも、ＰＳＴＮ電話をかけることができる。
【０００６】
好ましくは、前記ユニバーサル電話機能を集成したコンピュータは、デジタル無線トランシーバモジュール、及びその一つ又は複数の携帯電話を備えて、コードレス電話の通信システムを構成し、前記デジタル無線トランシーバモジュールは、ブルートゥース、８０２.１１、８０２.１６又は他のデジタル無線通信モードである。
【０００７】
好ましくは、タッチパネル付き携帯電話を通じて、該タッチパネルがコンピュータのワイヤレスマウス及び/又はタブレット入力と、コンピュータの第二ディスプレイと、に用いられることができる。
【０００８】
好ましくは、前記ユニバーサル電話機能を集成したコンピュータは、制御ソフトウェアを含むことにより、コンピュータのディスプレイ及び/又はキーボード/マウスによって、ＰＳＴＮ電話をかけること及び自動応答電話のコンピュータソフトウェア電話の機能を実現する。
【０００９】
好ましくは、前記ユニバーサル電話機能を集成したコンピュータにおいて、制御ソフトウェア及びデジタル制御回路が含まれることにより、前記三種の電話通信モードで、即ち受話器、コードレス電話、コンピュータソフトウェア電話で、ネットワーク電話の機能を利用するとともにネットワーク電話の機能とＰＳＴＮ電話の機能との間に自由に切り替えることを実現する。
【００１０】
好ましくは、制御ソフトウェアを設置することにより、ネットワークインタフェースの来電及びＰＳＴＮ電話インタフェースの来電の間に互いに自動的にスイッチングされることを実現することができる。
【００１１】
請求項１に記載のユニバーサル電話機能を集成したコンピュータは、ソフトウェア制御によって、ネットワーク及び/又はＰＳＴＮ電話線を通じてファックス受送信の機能を実現することもできることを特徴とする。
【００１２】  好ましくは、ネットワークインタフェース、受話器、コードレス携帯電話及びそれに配置されたカメラによって、ビデオ付き又はビデオなしのインターネットチャットを実現することができ、インターネットチャットを普通電話をする習慣に一致させ、それに（公序良俗違反につき、不掲載）と（公序良俗違反につき、不掲載）等のチャットツールがサポートできる。
【００１３】
好ましくは、該システムは、デスクトップコンピュータ、ノートパソコン及び他の簡易パソコンのいずれかを含む。
【００１４】
本考案は、ユニバーサル電話機能を集成したコンピュータを更に提供する。該ユニバーサル電話機能を集成したコンピュータは、コンピュータ制御ユニットを含むコンピュータ本体と、前記コンピュータ制御ユニットに接続するインターネット電話のアクセスユニットとを備え、更に、それぞれ前記コンピュータ制御ユニットに接続する普通電話のアクセスユニットと、オーディオ入力及び出力ユニットと、デジタル制御ユニットと、を備える。前記デジタル制御ユニットは、それぞれ前記ネットワーク電話のアクセスユニット、普通電話のアクセスユニット、及び、オーディオ入力及び出力ユニットに、接続されることにより、前記ネットワーク電話のアクセスユニット及び普通電話のアクセスユニットを管理及び切り替えに用いられ、前記ネットワーク電話のアクセスユニット又は普通電話のアクセスユニットからの信号を処理して前記オーディオ入力及び出力ユニットに出力し、前記オーディオ入力及び出力ユニットからの信号を処理して前記ネットワーク電話のアクセスユニット又は普通電話のアクセスユニットに出力する。
【００１５】
本考案によって、固定電話を省略することができ、固定電話によるデスクトップ面積の占用を減少し、同時にユーザーが電話を使用することを簡略化する。ユーザーが一つのターミナル（受話器又は携帯電話）のみで、普通電話の実用性及びネットワーク電話の安値を便利に取ることができる。各種の組合によって、興味深く有用な機能が派生され、これらの全体が一つのコンピュータシステムに集成される。
【００１６】
以下、図面及び実施例を結び付けって、本考案の技術実現をさらに説明する。
【図面の簡単な説明】
【００１７】
【図１】本考案実施例の典型的なシステム接続図である。
【図２】本考案実施例の原理を示すブロック図である。
【図３】本考案のもう一つの実施例を示すブロック図である。
【考案を実施するための形態】
【００１８】
説明の便利のため、ここで図１及び図２を例に説明する。図に示すように、該ユニバーサル電話機能を集成したコンピュータは、コンピュータ本体１００及びそれのシステムを備える。コンピュータ本体１００に、ＰＳＴＮ電話インタフェース１０１及びネットワークインタフェース１０２が含まれている。
【００１９】
コンピュータに電話インタフェースモジュール１０３が含まれることにより、ＰＳＴＮネットワークが回路インタフェース及び信号に対しての様々な要求を実現し、且つリング、オフフック、マシンの検出及びラインの保護などの機能を達成する。
【００２０】
コンピュータにおいて、ダイヤルアップ及び電気音響変換の機能のため、キーボタン付き受話器１０６が含まれている。電力を供給しない場合、デジタル制御回路１１０は電話インタフェースモジュール１０３を直接的に該受話器１０６に接続するとともに、ＰＳＴＮバッテリーから駆動を獲得して、ＰＳＴＮ電話の通話機能が実現されることもできる。コンピュータにおいてデジタル制御回路１１０及びそのソフトウェアが含むことにより、ネットワーク電話及びＰＳＴＮ電話に対する管理と切り替えを達成するとともに互いに自動的にスイッチングする機能を実現する。ネットワークインタフェース１０２からのＩＰ信号は、コンピュータＬＡＮカード１０４及びコンピュータサウンドカード１０５の処理によってアナログオーディオ信号に変換され、その後、デジタル制御回路１１０を通じて受話器１０６に送信され、又は更に電話インタフェースモジュール１０３を介してＰＳＴＮ電話インタフェース１０１に送信され、通じて更にＰＣＭモジュール１２１を通じて無線トランシーバモジュール１２２に送信され、その後、アンテナを通じて携帯電話１２３まで送信される。コンピュータサウスブリッジ２００は、コントロールソフトウェアの管理で、それのＧＰＩＯバスを通じて、電話インタフェースモジュール１０３、デジタル制御回路１１０、無線トランシーバモジュール１２２等のモジュールに対して制御を実現する。
【００２１】
制御ソフトウェアによって、電話のクリックボタンがコンピュータのディスプレイに表示されるとともに、コンピュータのキーボード/マウスを通じてＰＳＴＮ電話をかけること及び電話を自動応答することができる。
【００２２】
ソフトウェア制御によって、ファックスしようとする図面と文字の電子文書が、標準的なファックスエンコーディングフォーマットに変換されて、変調を介して電話線に送信される。
【００２３】
好ましい方案として、このコンピュータシステムに、ＰＣＭモジュール１２１及び無線トランシーバモジュール１２２（これはブルートゥース、８０２.１１、８０２.１６又は他のデジタル無線通信モードなどであることができる）が含まれて、一つ又は複数のマッチング携帯電話１２３に合わせて、コードレス電話の通信システムを構成する。
【００２４】  受話器１０６又は携帯電話１２３にカメラが取り付けられる場合、ビデオつき又はビデオなしのインターネットチャットを実現し、インターネットチャットを普通電話をする習慣に一致させることができる。これが（公序良俗違反につき、不掲載）、（公序良俗違反につき、不掲載）等のチャットツールをサポートすることができる。
【００２５】
携帯電話１２３にタッチパネルが採用される方案において、該タッチパネルがコンピュータのワイヤレスマウス及び/又はタブレット入力と、コンピュータの第二ディスプレイと、に用いられることができる。ユーザーが携帯電話１２３をつうじて簡単にチャットを行い、又はテキストメッセージを送受信することができる。
【００２６】
前記コンピュータシステムは、デスクトップコンピュータ、ノートパソコン及び他の簡単なパソコンを含む。
【００２７】
図３は、本考案のユニバーサル電話機能を集成したコンピュータの第二実施例のブロック図である。それは、コンピュータホスト、ネットワーク電話のアクセスユニット３３０、普通電話のアクセスユニット３４０、オーディオ入力及び出力モジュール３０６、及びデジタル制御ユニット３１０などを備える。
【００２８】
前記コンピュータ本体は、コンピュータ制御ユニットを含む。前記コンピュータ制御ユニットは、前の実施例に記載されたコンピュータサウスブリッジ２００であることができ、ＧＩＰＯバスを通じてネットワークのアクセスユニット、普通電話のアクセスユニット３４０、及びデジタル制御ユニット３１０などに対して制御を実現する。
【００２９】
前記ネットワーク電話のアクセスユニット３３０は、ネットワークインタフェース３３２と、ネットワークインタフェースモジュール３３４と、及びオーディオ処理モジュール３３５と、を備える。該ネットワークインタフェース３３２をインターネットに接続することによって、インターネット側からの信号を受信し、信号をインターネットに送信する。
【００３０】
該ネットワークインタフェースモジュール３３４を、ネットワークインタフェース３３２及びオーディオ処理モジュール３３５に接続することにより、インターネットインタフェース３３２からの信号を処理して、そのうちの音声信号をオーディオ処理モジュール３３５に送信し、音声信号をネットワークインタフェース３３２に送信して更にインターネットに送信する。このネットワークインタフェース３３２及びネットワークインタフェースモジュール３３４は、例えば有線ＬＡＮや無線ＬＡＮ等の従来の各種のＬＡＮカードを利用することができる。
【００３１】
該オーディオ処理モジュール３３５を、デジタル制御ユニット３１０に接続することにより、ネットワークインタフェースモジュール３３４からの音声信号を処理して、デジタル制御ユニット３１０に送信するとともに、デジタル制御ユニット３１０からの音声信号を処理して、前述ネットワークインタフェースモジュール３３４に送信する。該オーディオ処理モジュール３３５は、例えば分立サウンドカード又はオンボードサウンドなどの従来の各種のサウンドカードを利用することができる。
【００３２】
該普通電話のアクセスユニット３４０は、有線公衆電話のアクセスユニットと、無線電話のアクセスユニットと、を含み、いずれか一種の普通電話を配置し又は同時に配置することができる。
【００３３】
該市内電話のアクセスユニットは、有線公衆電話ネットワークに接続する電話インタフェース３４１と、電話インタフェース３４１及びデジタル制御ユニット３１０に接続する電話インタフェースモジュール３４３と、を備える。該電話インタフェースモジュール３４３は、有線公衆電話ネットワークとの接続を確立して、有線公衆電話ネットワークからの音声信号を前記デジタル制御ユニット３１０に出力するとともにオーディオ入力と出力モジュール３０６からの音声信号を有線公衆電話ネットワークに出力するために用いられる。更に、従来の市内電話機のリング、オフフック、並列検出及びラインの保護などの機能を実現することができる。理解できるのは、該有線公衆電話ネットワークが、ＰＳＴＮ電話ネットワーク、ＩＳＤＮ電話ネットワーク又は他の有線公衆電話ネットワークであることができる。
【００３４】
該無線電話のアクセスユニットは、無線電話インターネットに接続する無線電話インタフェース３４２と、無線電話インタフェース３４２及びデジタル制御ユニット３１０に接続する無線電話インタフェースモジュール３４４と、を備える。該無線電話インタフェースモジュール３４４は、無線電話ネットワークとの接続を確立して無線電話ネットワークからの音声信号をデジタル制御ユニット３１０に出力するとともにオーディオ入力と出力モジュール３０６からの音声信号を無線電話ネットワークに出力するために用いられる。更に、既存の無線電話のリング、オフフック、並列検出およびラインの保護などの機能を実現することができる。
【００３５】
更に、前記コンピュータはビデオ入力と出力ユニットを備える。該ビデオ入力と出力ユニットは、デジタル制御ユニット３１０に接続し、普通電話のアクセスユニット３４０又はネットワーク電話のアクセスユニット３３０からのビデオ信号を出力し、入力したビデオ信号を普通電話のアクセスユニット３４０又はネットワーク電話のアクセスユニット３３０により外に送信される。
【００３６】
該オーディオ入力と出力モジュール３０６は、デジタル制御ユニット３１０に接続する受話器を採用することができる。該ビデオ入力と出力ユニットは、受話器に組み合わせることができ、即ち、受話器にカメラ及びディスプレイが配置されるとよい。
【００３７】
更に、該オーディオ入力と出力モジュール３０６は、無線オーディオ入力と出力モジュール３０６を含むことができる。該無線オーディオ入力と出力モジュール３０６は、デジタル制御ユニット３１０に接続するＰＣＭモジュール３２１と、ＰＣＭモジュール３２１に接続する無線トランシーバモジュール３２２と、無線トランシーバモジュール３２２に接続する無線受話器と、を備える。もちろん、無線受話器にカメラ及びディスプレイが配置されることにより、ビデオ通話機能を実現することができる。
【００３８】
電力がある場合、ネットワーク電話を利用して通話を行うことで、通話のコストを低下することができる。具体的に、オーディオ入力と出力モジュール３０６（受話器）のキーボードを利用してダイヤルを行い、デジタル制御ユニット３１０はダイヤルの信号をネットワーク電話のアクセスユニット３３０に送信してダイヤルを行う。受話者に通信連絡を確立する後、オーディオ入力と出力モジュール３０６を通じて音声の出力が行われて、デジタル制御ユニット３１０に送信し、ジタル制御ユニット３１０が音声信号をネットワーク電話ユニットのオーディオ処理モジュール３３５に送信し、音声信号がオーディオ処理モジュール３３５に処理されてデジタル信号に変換され、その後、デジタル信号がネットワークインタフェースモジュール３３４に処理されて、例えばネットワークパケットが生じて、インターネットインタフェース３３２を通じて受話方に送信する。
【００３９】
ネットワークからのネットワークパケットがインターネットインタフェース３３２を通じて受信されて、ネットワークインタフェースモジュール３３４によって受信した信号に対して処理されて、そのうちの音声信号をオーディオ処理ユニットに送信し、オーディオ処理ユニットによってそれをアナログ音声信号に変換し、更にジタル制御ユニット３１０に送信し、デジタル制御ユニット３１０によってオーディオ入力と出力モジュール３０６に分配発送してプレイバックを行い、従って通話を実現する。もちろん、ビデオの信号を増加することによりビデオ通話を実現することもできる。
【００４０】
停電する場合又は普通電話を利用して通話をしたい場合、デジタル制御ユニット３１０は直接に市内電話アクセスユニットをオーディオ入力と出力モジュール３０６に接続し、ＰＳＴＮバッテリーからパワー駆動を得て、まだＰＳＴＮ電話の機能を実現することもできる。もちろん、デジタル制御ユニット３１０は、無線電話ユニットをオーディオ入力と出力モジュール３０６に接して無線電話機能を実現することもできる。
【００４１】
以上の考案は具体的な応用において、技術開発者が具体的な状況によって、調整や変更を行うことが可能である。本考案の実施形態における説明は本考案の方案による好ましい事例に過ぎず、本考案の方案に対しての制限として理解されることができない。
【符号の説明】
【００４２】
１００  コンピュータ本体
１０１  ＰＳＴＮインタフェース
１０２  ネットワークインタフェース
１０３  電話インタフェースモジュール
１０４  コンピュータＬＡＮカード
１０５  コンピュータサウンドカード
１０６  受話器
１１０  デジタル制御回路
１２１  ＰＣＭモジュール
１２２  デジタル無線トランシーバモジュール
１２３  コードレス携帯電話
２００  コンピュータサウスブリッジ
３３０  ネットワーク電話のアクセスユニット
３３２  ネットワークインタフェース
３３４  ネットワークインタフェースモジュール
３３５  オーディオ処理モジュール
３４０  普通電話のアクセスユニット
３４１  電話インタフェース
３４３  電話インタフェースモジュール
３４２  無線電話インタフェース
３４４  無線電話インタフェースモジュール
３０６  オーディオ入力及び出力ユニット
３１０  デジタル制御ユニット
３２１  ＰＣＭモジュール
３２２  無線トランシーバモジュール
【図１】
0003179360.tif 000003
【図２】
0003179360.tif 000004
【図３】
0003179360.tif 000005
【手続補正書】
【提出日】平成24年7月19日(2012.7.19)
【手続補正１】
【補正対象書類名】明細書
【補正対象項目名】全文
【補正方法】変更
【補正の内容】
【考案の詳細な説明】
【技術分野】
【０００１】
本考案は、マイクロコンピュータのハードウェア、ソフトウェア及びインタフェース技術と、電話及びネット通信技術と、に関する。
【背景技術】
【０００２】
ベルが電話を発明して以来、公衆音声通信技術は長足の発展を遂げた。現在、最も主要な公衆音声通信技術が二種ある。その一種が、固定電話であり、即ち回線交換に基づく有線の公衆電話網（例えばＰＳＴＮ、ＩＳＤＮ等）又は無線の電話網であり、言い換えれば、最も伝統的なの固定電話又は無線電話である。そのもう一種が、近年の急速に発展したパケット交換技術に基づくネットワーク電話、即ちＶｏＩＰ電話である。両種の電話技術はそれぞれ利点及び欠点を有する。ＰＳＴＮ及び無線電話の通話品質が優れて、行き届いたサービスを提供することができ、例えば、様々な公共サービス電話、緊急コールが、住宅用電気の供給がなくても電話を掛けることができるが、しかし通常にコストが高く、特に地域間又は多国間の長距離通話のコストが高い。しかしながら、ＶｏＩＰ電話は、インターネット技術を利用するので、無料のインターネットが通常に通話費用を大きく減少することができ、特に複数のネットワーク側の間で通話が通常無料であるが、しかしパケット交換技術自身の固有の遅延欠陥によって、遅延に敏感する音声通信に対して、通話品質の低下の問題をもたらすことが避けられない。そしてＶｏＩＰ電話が通常に緊急コールを提供することができなく、電力供給がない場合に電話を掛けることもできない。コンピュータの普及につれて、パソコンが多数の家族又は個人の必需品となっており、これにとともに、一般に、もう一つのＰＳＴＮ電話を追加配置することは、通常に他のデスクトップ領域を占用する。
【考案の概要】
【０００３】
本考案は、上述の様々な利点と欠点が十分に考えられて、固定電話及びネットワーク電話を整合したコンピュータシステムを提案する。
【０００４】
本考案が採用された技術方案は、常用コンピュータ本体及びそのシステムを含むユニバーサル電話機能を集成したコンピュータであって、前記コンピュータに常用ＰＳＴＮ電話のインタフェース及びその通信機能が集成されている。
【０００５】
好ましくは、前記ユニバーサル電話機能を集成したコンピュータは、キーボタンを有する受話器と、電話インタフェースモジュールと、を備え、該コンピュータが起動されない場合又は電力を供給しない場合でも、ＰＳＴＮ電話をかけることができる。
【０００６】
好ましくは、前記ユニバーサル電話機能を集成したコンピュータは、デジタル無線トランシーバモジュール、及びその一つ又は複数の携帯電話を備えて、コードレス電話の通信システムを構成し、前記デジタル無線トランシーバモジュールは、ブルートゥース、８０２.１１、８０２.１６又は他のデジタル無線通信モードである。
【０００７】
好ましくは、タッチパネル付き携帯電話を通じて、該タッチパネルがコンピュータのワイヤレスマウス及び/又はタブレット入力と、コンピュータの第二ディスプレイと、に用いられることができる。
【０００８】
好ましくは、前記ユニバーサル電話機能を集成したコンピュータは、制御ソフトウェアを含むことにより、コンピュータのディスプレイ及び/又はキーボード/マウスによって、ＰＳＴＮ電話をかけること及び自動応答電話のコンピュータソフトウェア電話の機能を実現する。
【０００９】
好ましくは、前記ユニバーサル電話機能を集成したコンピュータにおいて、制御ソフトウェア及びデジタル制御回路が含まれることにより、前記三種の電話通信モードで、即ち受話器、コードレス電話、コンピュータソフトウェア電話で、ネットワーク電話の機能を利用するとともにネットワーク電話の機能とＰＳＴＮ電話の機能との間に自由に切り替えることを実現する。
【００１０】
好ましくは、制御ソフトウェアを設置することにより、ネットワークインタフェースの来電及びＰＳＴＮ電話インタフェースの来電の間に互いに自動的にスイッチングされることを実現することができる。
【００１１】
請求項１に記載のユニバーサル電話機能を集成したコンピュータは、ソフトウェア制御によって、ネットワーク及び/又はＰＳＴＮ電話線を通じてファックス受送信の機能を実現することもできることを特徴とする。
【００１２】  好ましくは、ネットワークインタフェース、受話器、コードレス携帯電話及びそれに配置されたカメラによって、ビデオ付き又はビデオなしのインターネットチャットを実現することができ、インターネットチャットを固定電話をする習慣に一致させ、それに（公序良俗違反につき、不掲載）と（公序良俗違反につき、不掲載）等のチャットツールがサポートできる。
【００１３】
好ましくは、該システムは、デスクトップコンピュータ、ノートパソコン及び他の簡易パソコンのいずれかを含む。
【００１４】
本考案は、ユニバーサル電話機能を集成したコンピュータを更に提供する。該ユニバーサル電話機能を集成したコンピュータは、コンピュータ制御ユニットを含むコンピュータ本体と、前記コンピュータ制御ユニットに接続するインターネット電話のアクセスユニットとを備え、更に、それぞれ前記コンピュータ制御ユニットに接続する固定電話のアクセスユニットと、オーディオ入力及び出力ユニットと、デジタル制御ユニットと、を備える。前記デジタル制御ユニットは、それぞれ前記ネットワーク電話のアクセスユニット、固定電話のアクセスユニット、及び、オーディオ入力及び出力ユニットに、接続されることにより、前記ネットワーク電話のアクセスユニット及び固定電話のアクセスユニットを管理及び切り替えに用いられ、前記ネットワーク電話のアクセスユニット又は固定電話のアクセスユニットからの信号を処理して前記オーディオ入力及び出力ユニットに出力し、前記オーディオ入力及び出力ユニットからの信号を処理して前記ネットワーク電話のアクセスユニット又は固定電話のアクセスユニットに出力する。
【００１５】
本考案によって、固定電話を省略することができ、固定電話によるデスクトップ面積の占用を減少し、同時にユーザーが電話を使用することを簡略化する。ユーザーが一つのターミナル（受話器又は携帯電話）のみで、固定電話の実用性及びネットワーク電話の安値を便利に取ることができる。各種の組合によって、興味深く有用な機能が派生され、これらの全体が一つのコンピュータシステムに集成される。
【００１６】
以下、図面及び実施例を結び付けって、本考案の技術実現をさらに説明する。
【図面の簡単な説明】
【００１７】
【図１】本考案実施例の典型的なシステム接続図である。
【図２】本考案実施例の原理を示すブロック図である。
【図３】本考案のもう一つの実施例を示すブロック図である。
【考案を実施するための形態】
【００１８】
説明の便利のため、ここで図１及び図２を例に説明する。図に示すように、該ユニバーサル電話機能を集成したコンピュータは、コンピュータ本体１００及びそれのシステムを備える。コンピュータ本体１００に、ＰＳＴＮ電話インタフェース１０１及びネットワークインタフェース１０２が含まれている。
【００１９】
コンピュータに電話インタフェースモジュール１０３が含まれることにより、ＰＳＴＮネットワークが回路インタフェース及び信号に対しての様々な要求を実現し、且つリング、オフフック、マシンの検出及びラインの保護などの機能を達成する。
【００２０】
コンピュータにおいて、ダイヤルアップ及び電気音響変換の機能のため、キーボタン付き受話器１０６が含まれている。電力を供給しない場合、デジタル制御回路１１０は電話インタフェースモジュール１０３を直接的に該受話器１０６に接続するとともに、ＰＳＴＮバッテリーから駆動を獲得して、ＰＳＴＮ電話の通話機能が実現されることもできる。コンピュータにおいてデジタル制御回路１１０及びそのソフトウェアが含むことにより、ネットワーク電話及びＰＳＴＮ電話に対する管理と切り替えを達成するとともに互いに自動的にスイッチングする機能を実現する。ネットワークインタフェース１０２からのＩＰ信号は、コンピュータＬＡＮカード１０４及びコンピュータサウンドカード１０５の処理によってアナログオーディオ信号に変換され、その後、デジタル制御回路１１０を通じて受話器１０６に送信され、又は更に電話インタフェースモジュール１０３を介してＰＳＴＮ電話インタフェース１０１に送信され、通じて更にＰＣＭモジュール１２１を通じて無線トランシーバモジュール１２２に送信され、その後、アンテナを通じて携帯電話１２３まで送信される。コンピュータサウスブリッジ２００は、コントロールソフトウェアの管理で、それのＧＰＩＯバスを通じて、電話インタフェースモジュール１０３、デジタル制御回路１１０、無線トランシーバモジュール１２２等のモジュールに対して制御を実現する。
【００２１】
制御ソフトウェアによって、電話のクリックボタンがコンピュータのディスプレイに表示されるとともに、コンピュータのキーボード/マウスを通じてＰＳＴＮ電話をかけること及び電話を自動応答することができる。
【００２２】
ソフトウェア制御によって、ファックスしようとする図面と文字の電子文書が、標準的なファックスエンコーディングフォーマットに変換されて、変調を介して電話線に送信される。
【００２３】
好ましい方案として、このコンピュータシステムに、ＰＣＭモジュール１２１及び無線トランシーバモジュール１２２（これはブルートゥース、８０２.１１、８０２.１６又は他のデジタル無線通信モードなどであることができる）が含まれて、一つ又は複数のマッチング携帯電話１２３に合わせて、コードレス電話の通信システムを構成する。
【００２４】  受話器１０６又は携帯電話１２３にカメラが取り付けられる場合、ビデオつき又はビデオなしのインターネットチャットを実現し、インターネットチャットを固定電話をする習慣に一致させることができる。これが（公序良俗違反につき、不掲載）、（公序良俗違反につき、不掲載）等のチャットツールをサポートすることができる。
【００２５】
携帯電話１２３にタッチパネルが採用される方案において、該タッチパネルがコンピュータのワイヤレスマウス及び/又はタブレット入力と、コンピュータの第二ディスプレイと、に用いられることができる。ユーザーが携帯電話１２３をつうじて簡単にチャットを行い、又はテキストメッセージを送受信することができる。
【００２６】
前記コンピュータシステムは、デスクトップコンピュータ、ノートパソコン及び他の簡単なパソコンを含む。
【００２７】
図３は、本考案のユニバーサル電話機能を集成したコンピュータの第二実施例のブロック図である。それは、コンピュータホスト、ネットワーク電話のアクセスユニット３３０、固定電話のアクセスユニット３４０、オーディオ入力及び出力モジュール３０６、及びデジタル制御ユニット３１０などを備える。
【００２８】
前記コンピュータ本体は、コンピュータ制御ユニットを含む。前記コンピュータ制御ユニットは、前の実施例に記載されたコンピュータサウスブリッジ２００であることができ、ＧＩＰＯバスを通じてネットワークのアクセスユニット、固定電話のアクセスユニット３４０、及びデジタル制御ユニット３１０などに対して制御を実現する。
【００２９】
前記ネットワーク電話のアクセスユニット３３０は、ネットワークインタフェース３３２と、ネットワークインタフェースモジュール３３４と、及びオーディオ処理モジュール３３５と、を備える。該ネットワークインタフェース３３２をインターネットに接続することによって、インターネット側からの信号を受信し、信号をインターネットに送信する。
【００３０】
該ネットワークインタフェースモジュール３３４を、ネットワークインタフェース３３２及びオーディオ処理モジュール３３５に接続することにより、インターネットインタフェース３３２からの信号を処理して、そのうちの音声信号をオーディオ処理モジュール３３５に送信し、音声信号をネットワークインタフェース３３２に送信して更にインターネットに送信する。このネットワークインタフェース３３２及びネットワークインタフェースモジュール３３４は、例えば有線ＬＡＮや無線ＬＡＮ等の従来の各種のＬＡＮカードを利用することができる。
【００３１】
該オーディオ処理モジュール３３５を、デジタル制御ユニット３１０に接続することにより、ネットワークインタフェースモジュール３３４からの音声信号を処理して、デジタル制御ユニット３１０に送信するとともに、デジタル制御ユニット３１０からの音声信号を処理して、前述ネットワークインタフェースモジュール３３４に送信する。該オーディオ処理モジュール３３５は、例えば分立サウンドカード又はオンボードサウンドなどの従来の各種のサウンドカードを利用することができる。
【００３２】
該固定電話のアクセスユニット３４０は、有線公衆電話のアクセスユニットと、無線電話のアクセスユニットと、を含み、いずれか一種の固定電話を配置し又は同時に配置することができる。
【００３３】
該市内電話のアクセスユニットは、有線公衆電話ネットワークに接続する電話インタフェース３４１と、電話インタフェース３４１及びデジタル制御ユニット３１０に接続する電話インタフェースモジュール３４３と、を備える。該電話インタフェースモジュール３４３は、有線公衆電話ネットワークとの接続を確立して、有線公衆電話ネットワークからの音声信号を前記デジタル制御ユニット３１０に出力するとともにオーディオ入力と出力モジュール３０６からの音声信号を有線公衆電話ネットワークに出力するために用いられる。更に、従来の市内電話機のリング、オフフック、並列検出及びラインの保護などの機能を実現することができる。理解できるのは、該有線公衆電話ネットワークが、ＰＳＴＮ電話ネットワーク、ＩＳＤＮ電話ネットワーク又は他の有線公衆電話ネットワークであることができる。
【００３４】
該無線電話のアクセスユニットは、無線電話インターネットに接続する無線電話インタフェース３４２と、無線電話インタフェース３４２及びデジタル制御ユニット３１０に接続する無線電話インタフェースモジュール３４４と、を備える。該無線電話インタフェースモジュール３４４は、無線電話ネットワークとの接続を確立して無線電話ネットワークからの音声信号をデジタル制御ユニット３１０に出力するとともにオーディオ入力と出力モジュール３０６からの音声信号を無線電話ネットワークに出力するために用いられる。更に、既存の無線電話のリング、オフフック、並列検出およびラインの保護などの機能を実現することができる。
【００３５】
更に、前記コンピュータはビデオ入力と出力ユニットを備える。該ビデオ入力と出力ユニットは、デジタル制御ユニット３１０に接続し、固定電話のアクセスユニット３４０又はネットワーク電話のアクセスユニット３３０からのビデオ信号を出力し、入力したビデオ信号を固定電話のアクセスユニット３４０又はネットワーク電話のアクセスユニット３３０により外に送信される。
【００３６】
該オーディオ入力と出力モジュール３０６は、デジタル制御ユニット３１０に接続する受話器を採用することができる。該ビデオ入力と出力ユニットは、受話器に組み合わせることができ、即ち、受話器にカメラ及びディスプレイが配置されるとよい。
【００３７】
更に、該オーディオ入力と出力モジュール３０６は、無線オーディオ入力と出力モジュール３０６を含むことができる。該無線オーディオ入力と出力モジュール３０６は、デジタル制御ユニット３１０に接続するＰＣＭモジュール３２１と、ＰＣＭモジュール３２１に接続する無線トランシーバモジュール３２２と、無線トランシーバモジュール３２２に接続する無線受話器と、を備える。もちろん、無線受話器にカメラ及びディスプレイが配置されることにより、ビデオ通話機能を実現することができる。
【００３８】
電力がある場合、ネットワーク電話を利用して通話を行うことで、通話のコストを低下することができる。具体的に、オーディオ入力と出力モジュール３０６（受話器）のキーボードを利用してダイヤルを行い、デジタル制御ユニット３１０はダイヤルの信号をネットワーク電話のアクセスユニット３３０に送信してダイヤルを行う。受話者に通信連絡を確立する後、オーディオ入力と出力モジュール３０６を通じて音声の出力が行われて、デジタル制御ユニット３１０に送信し、ジタル制御ユニット３１０が音声信号をネットワーク電話ユニットのオーディオ処理モジュール３３５に送信し、音声信号がオーディオ処理モジュール３３５に処理されてデジタル信号に変換され、その後、デジタル信号がネットワークインタフェースモジュール３３４に処理されて、例えばネットワークパケットが生じて、インターネットインタフェース３３２を通じて受話方に送信する。
【００３９】
ネットワークからのネットワークパケットがインターネットインタフェース３３２を通じて受信されて、ネットワークインタフェースモジュール３３４によって受信した信号に対して処理されて、そのうちの音声信号をオーディオ処理ユニットに送信し、オーディオ処理ユニットによってそれをアナログ音声信号に変換し、更にジタル制御ユニット３１０に送信し、デジタル制御ユニット３１０によってオーディオ入力と出力モジュール３０６に分配発送してプレイバックを行い、従って通話を実現する。もちろん、ビデオの信号を増加することによりビデオ通話を実現することもできる。
【００４０】
停電する場合又は固定電話を利用して通話をしたい場合、デジタル制御ユニット３１０は直接に市内電話アクセスユニットをオーディオ入力と出力モジュール３０６に接続し、ＰＳＴＮバッテリーからパワー駆動を得て、まだＰＳＴＮ電話の機能を実現することもできる。もちろん、デジタル制御ユニット３１０は、無線電話ユニットをオーディオ入力と出力モジュール３０６に接して無線電話機能を実現することもできる。
【００４１】
以上の考案は具体的な応用において、技術開発者が具体的な状況によって、調整や変更を行うことが可能である。本考案の実施形態における説明は本考案の方案による好ましい事例に過ぎず、本考案の方案に対しての制限として理解されることができない。
【符号の説明】
【００４２】
１００  コンピュータ本体
１０１  ＰＳＴＮインタフェース
１０２  ネットワークインタフェース
１０３  電話インタフェースモジュール
１０４  コンピュータＬＡＮカード
１０５  コンピュータサウンドカード
１０６  受話器
１１０  デジタル制御回路
１２１  ＰＣＭモジュール
１２２  デジタル無線トランシーバモジュール
１２３  コードレス携帯電話
２００  コンピュータサウスブリッジ
３３０  ネットワーク電話のアクセスユニット
３３２  ネットワークインタフェース
３３４  ネットワークインタフェースモジュール
３３５  オーディオ処理モジュール
３４０  固定電話のアクセスユニット
３４１  電話インタフェース
３４３  電話インタフェースモジュール
３４２  無線電話インタフェース
３４４  無線電話インタフェースモジュール
３０６  オーディオ入力及び出力ユニット
３１０  デジタル制御ユニット
３２１  ＰＣＭモジュール
３２２  無線トランシーバモジュール
【手続補正２】
【補正対象書類名】実用新案登録請求の範囲
【補正対象項目名】全文
【補正方法】変更
【補正の内容】
【実用新案登録請求の範囲】
【請求項１】
ユニバーサル電話機能を集成したコンピュータであって、コンピュータ本体を備え、
前記コンピュータは、ユニバーサルなＰＳＴＮ電話インタフェース及び電話インタフェースモジュールを備えていることを特徴とするユニバーサル電話機能を集成したコンピュータ。
【請求項２】
前記ユニバーサル電話機能を集成したコンピュータは、キーボタンを有する受話器と、電話インタフェースモジュールと、を備え、コンピュータが起動せず又は電力が供給されない場合もＰＳＴＮ電話をかけることができることを特徴とする請求項１に記載のユニバーサル電話機能を集成したコンピュータ。
【請求項３】
前記ユニバーサル電話機能を集成したコンピュータは、デジタル無線トランシーバモジュール及びその一つ又は複数の携帯電話を含むことにより、コードレス電話の通信システムを構成し、該デジタル無線トランシーバモジュールはブルートゥース、８０２.１１、８０２.１６又は他のデジタル無線通信モードであることを特徴とする請求項１に記載のユニバーサル電話機能を集成したコンピュータ。
【請求項４】
タッチパネル付き携帯電話によって、該タッチスパネルをコンピュータのワイヤレスマウス及び/又はタブレット入力と、コンピュータの第二ディスプレイとに用いることを特徴とする請求項３に記載のユニバーサル電話機能を集成したコンピュータ。
【請求項５】
前記ユニバーサル電話機能を集成したコンピュータは、制御ソフトウェアを含み、コンピュータのディスプレイ及び/又はキーボード/マウスによってＰＳＴＮ電話をかけること及び電話自動応答を行うコンピュータソフトウェア電話の機能を実現することを特徴とする請求項１に記載のユニバーサル電話機能を集成したコンピュータ。
【請求項６】
前記ユニバーサル電話機能を集成したコンピュータにおいて、制御ソフトウェア及びデジタル制御回路が含まれ、前記三種類の電話通信モード、即ち受話器、コードレス電話、コンピュータソフトウェア電話で、ネットワーク電話の機能を利用し、ネットワーク電話の機能とＰＳＴＮ電話の機能が自由に切り替えられることを実現することを特徴とする請求項１に記載のユニバーサル電話機能を集成したコンピュータ。
【請求項７】
コントロールソフトウェアの設置することにより、ネットワークインタフェースからの電話及びＰＳＴＮ電話インタフェースからの電話が互いに自動的にスイッチングできることを特徴とする請求項１又は６に記載のユニバーサル電話機能を集成したコンピュータ。
【請求項８】
ソフトウェア制御によって、ネットワーク及び/又はＰＳＴＮ電話線を通じてファックスの受送信の機能を実現することを特徴とする請求項１に記載のユニバーサル電話機能を集成したコンピュータ。
【請求項９】
ネットワークインタフェース、受話器、コードレス携帯電話及びそれに配置されたカメラによって、ビデオつき又はビデオなしのインターネットチャットを実現して、インターネットチャットを普段電話する際の習慣に一致させ、チャットツールがサポートされていることを特徴とする請求項１に記載のユニバーサル電話機能を集成したコンピュータ。
【請求項１０】
該システムは、デスクトップコンピュータ、ノートパソコン及び他の簡易パソコンのいずれかを含むことを特徴とする請求項１に記載のユニバーサル電話機能を集成したコンピュータ。
【請求項１１】
コンピュータ制御ユニットを有するコンピュータ本体と、前記コンピュータ制御ユニットに接続するネットワーク電話のアクセスユニットと、を備えるユニバーサル電話機能を集成したコンピュータであって、
更に、それぞれ前記コンピュータ制御ユニットに接続する固定電話のアクセスユニット、オーディオ入力と出力ユニット、及びデジタル制御ユニット、を備え、
前記デジタル制御ユニットがそれぞれネットワーク電話のアクセスユニット、固定電話のアクセスユニット、およびオーディオ入力と出力ユニットに接続されることにより、前述のネットワーク電話のアクセスユニット及び固定電話のアクセスユニットを管理及び切り替えに用いられ、前述のネットワーク電話のアクセスユニット又は固定電話のアクセスユニットからの信号を処理して前記オーディオ入力と出力ユニットに出力し、前記オーディオ入力と出力ユニットからの信号を処理して前記ネットワーク電話のアクセスユニット又は固定電話のアクセスユニットに出力することを特徴とするユニバーサル電話機能を集成したコンピュータ。
【請求項１２】
前記固定電話のアクセスユニットが市内電話のアクセスユニットを備え、前記市内電話のアクセスユニットが有線公衆電話ネットワークに接続する電話インタフェースと、前記電話インタフェース及びデジタル制御ユニットに接続する電話インタフェースモジュールと、を備え、
前記電話インタフェースモジュールが、前記有線公衆電話ネットワークとの接続を確立して、前記有線公衆電話ネットワークからの音声信号を前記デジタル制御ユニットに出力し、前記オーディオ入力と出力モジュールからの音声信号を前記有線公衆電話ネットワークに出力するために用いられることを特徴とする請求項１１に記載のユニバーサル電話機能を集成したコンピュータ。
【請求項１３】
前記固定電話のアクセスユニットが無線電話のアクセスユニットを備え、前記無線電話のアクセスユニットが無線電話ネットワークに接続する無線電話インタフェースと、前記無線電話インタフェース及びデジタル制御ユニットに接続する無線電話インタフェースモジュールと、を備え、
前記無線電話インタフェースモジュールが、前記無線電話ネットワークとの接続を確立して、前記無線電話ネットワークからの音声信号を前記デジタル制御ユニットに出力し、前記オーディオ入力と出力モジュールからの音声信号を前記無線電話ネットワークに出力するために用いられることを特徴とする請求項１１に記載のユニバーサル電話機能を集成したコンピュータ。
【請求項１４】
前記ネットワークのアクセスユニットがインターネットに接続するネットワークインタフェースと、ネットワークインタフェースモジュールと、オーディオ処理モジュールと、を備え、
前記ネットワークインタフェースモジュールが、前記ネットワークインタフェース及びオーディオ処理モジュールに接続して、前記ネットワークインタフェース側からの信号を処理してその音声信号を前記オーディオ処理モジュールに送信するとともに音声信号を前記ネットワークインタフェースに送信するために用いられ、
前記オーディオ処理モジュールが前記デジタル制御ユニットに接続して、前記ネットワークインタフェースモジュールからの音声信号を処理して前記デジタル制御ユニットに送信し、前記デジタル制御ユニットが送信した音声信号を処理して前記ネットワークインタフェースモジュールに送信することを特徴とする請求項１１に記載のユニバーサル電話機能を集成したコンピュータ。
【請求項１５】
前記コンピュータがビデオ入力と出力ユニットを備えて、前記ビデオ入力と出力ユニットが、デジタル制御ユニットに接続して、固定電話のアクセスユニット又はネットワーク電話のアクセスユニットからのビデオ信号を出力するとともに、入力したビデオ信号を前記固定電話のアクセスユニット又はネットワーク電話のアクセスユニットにより外へ送信することを特徴とする請求項１１に記載のユニバーサル電話機能を集成したコンピュータ。
【請求項１６】
前記オーディオ入力と出力モジュールが前記デジタル制御ユニットに接続する受話器を備えることを特徴とする請求項１１-１５のいずれか一つに
記載のユニバーサル電話機能を集成したコンピュータ。
【請求項１７】
前記オーディオ入力と出力モジュールが無線オーディオ入力と出力モジュールであって、前記無線オーディオ入力と出力モジュールが、前記デジタル制御ユニットに接続するＰＣＭモジュールと、前記ＰＣＭモジュールに接続する無線トランシーバモジュールと、前記無線トランシーバモジュールに接続する無線受話器と、を備えることを特徴とする請求項１６に記載のユニバーサル電話機能を集成したコンピュータ。
【手続補正書】
【提出日】平成24年8月21日(2012.8.21)
【手続補正１】
【補正対象書類名】明細書
【補正対象項目名】全文
【補正方法】変更
【補正の内容】
【考案の詳細な説明】
【技術分野】
【０００１】
本考案は、マイクロコンピュータのハードウェア、ソフトウェア及びインタフェース技術と、電話及びネット通信技術と、に関する。
【背景技術】
【０００２】
ベルが電話を発明して以来、公衆音声通信技術は長足の発展を遂げた。現在、最も主要な公衆音声通信技術が二種ある。その一種が、固定電話であり、即ち回線交換に基づく有線の公衆電話網（例えばＰＳＴＮ、ＩＳＤＮ等）又は無線の電話網であり、言い換えれば、最も伝統的なの固定電話又は無線電話である。そのもう一種が、近年の急速に発展したパケット交換技術に基づくネットワーク電話、即ちＶｏＩＰ電話である。両種の電話技術はそれぞれ利点及び欠点を有する。ＰＳＴＮ及び無線電話の通話品質が優れて、行き届いたサービスを提供することができ、例えば、様々な公共サービス電話、緊急コールが、住宅用電気の供給がなくても電話を掛けることができるが、しかし通常にコストが高く、特に地域間又は多国間の長距離通話のコストが高い。しかしながら、ＶｏＩＰ電話は、インターネット技術を利用するので、無料のインターネットが通常に通話費用を大きく減少することができ、特に複数のネットワーク側の間で通話が通常無料であるが、しかしパケット交換技術自身の固有の遅延欠陥によって、遅延に敏感する音声通信に対して、通話品質の低下の問題をもたらすことが避けられない。そしてＶｏＩＰ電話が通常に緊急コールを提供することができなく、電力供給がない場合に電話を掛けることもできない。コンピュータの普及につれて、パソコンが多数の家族又は個人の必需品となっており、これにとともに、一般に、もう一つのＰＳＴＮ電話を追加配置することは、通常に他のデスクトップ領域を占用する。
【考案の概要】
【０００３】
本考案は、上述の様々な利点と欠点が十分に考えられて、固定電話及びネットワーク電話を整合したコンピュータシステムを提案する。
【０００４】
本考案が採用された技術方案は、常用コンピュータ本体及びそのシステムを含むユニバーサル電話機能を集成したコンピュータであって、前記コンピュータに常用ＰＳＴＮ電話のインタフェース及びその通信機能が集成されている。
【０００５】
好ましくは、前記ユニバーサル電話機能を集成したコンピュータは、キーボタンを有する受話器と、電話インタフェースモジュールと、を備え、該コンピュータが起動されない場合又は電力を供給しない場合でも、ＰＳＴＮ電話をかけることができる。
【０００６】
好ましくは、前記ユニバーサル電話機能を集成したコンピュータは、デジタル無線トランシーバモジュール、及びその一つ又は複数の携帯電話を備えて、コードレス電話の通信システムを構成し、前記デジタル無線トランシーバモジュールは、ブルートゥース、８０２.１１、８０２.１６又は他のデジタル無線通信モードである。
【０００７】
好ましくは、タッチパネル付き携帯電話を通じて、該タッチパネルがコンピュータのワイヤレスマウス及び/又はタブレット入力と、コンピュータの第二ディスプレイと、に用いられることができる。
【０００８】
好ましくは、前記ユニバーサル電話機能を集成したコンピュータは、制御ソフトウェアを含むことにより、コンピュータのディスプレイ及び/又はキーボード/マウスによって、ＰＳＴＮ電話をかけること及び自動応答電話のコンピュータソフトウェア電話の機能を実現する。
【０００９】
好ましくは、前記ユニバーサル電話機能を集成したコンピュータにおいて、制御ソフトウェア及びデジタル制御回路が含まれることにより、前記三種の電話通信モードで、即ち受話器、コードレス電話、コンピュータソフトウェア電話で、ネットワーク電話の機能を利用するとともにネットワーク電話の機能とＰＳＴＮ電話の機能との間に自由に切り替えることを実現する。
【００１０】
好ましくは、制御ソフトウェアを設置することにより、ネットワークインタフェースの来電及びＰＳＴＮ電話インタフェースの来電の間に互いに自動的にスイッチングされることを実現することができる。
【００１１】
請求項１に記載のユニバーサル電話機能を集成したコンピュータは、ソフトウェア制御によって、ネットワーク及び/又はＰＳＴＮ電話線を通じてファックス受送信の機能を実現することもできることを特徴とする。
【００１２】
好ましくは、ネットワークインタフェース、受話器、コードレス携帯電話及びそれに配置されたカメラによって、ビデオ付き又はビデオなしのインターネットチャットを実現することができ、インターネットチャットを固定電話をする習慣に一致させ、それにチャットツールがサポートできる。
【００１３】
好ましくは、該システムは、デスクトップコンピュータ、ノートパソコン及び他の簡易パソコンのいずれかを含む。
【００１４】
本考案は、ユニバーサル電話機能を集成したコンピュータを更に提供する。該ユニバーサル電話機能を集成したコンピュータは、コンピュータ制御ユニットを含むコンピュータ本体と、前記コンピュータ制御ユニットに接続するインターネット電話のアクセスユニットとを備え、更に、それぞれ前記コンピュータ制御ユニットに接続する固定電話のアクセスユニットと、オーディオ入力及び出力ユニットと、デジタル制御ユニットと、を備える。前記デジタル制御ユニットは、それぞれ前記ネットワーク電話のアクセスユニット、固定電話のアクセスユニット、及び、オーディオ入力及び出力ユニットに、接続されることにより、前記ネットワーク電話のアクセスユニット及び固定電話のアクセスユニットを管理及び切り替えに用いられ、前記ネットワーク電話のアクセスユニット又は固定電話のアクセスユニットからの信号を処理して前記オーディオ入力及び出力ユニットに出力し、前記オーディオ入力及び出力ユニットからの信号を処理して前記ネットワーク電話のアクセスユニット又は固定電話のアクセスユニットに出力する。
【００１５】
本考案によって、固定電話を省略することができ、固定電話によるデスクトップ面積の占用を減少し、同時にユーザーが電話を使用することを簡略化する。ユーザーが一つのターミナル（受話器又は携帯電話）のみで、固定電話の実用性及びネットワーク電話の安値を便利に取ることができる。各種の組合によって、興味深く有用な機能が派生され、これらの全体が一つのコンピュータシステムに集成される。
【００１６】
以下、図面及び実施例を結び付けって、本考案の技術実現をさらに説明する。
【図面の簡単な説明】
【００１７】
【図１】本考案実施例の典型的なシステム接続図である。
【図２】本考案実施例の原理を示すブロック図である。
【図３】本考案のもう一つの実施例を示すブロック図である。
【考案を実施するための形態】
【００１８】
説明の便利のため、ここで図１及び図２を例に説明する。図に示すように、該ユニバーサル電話機能を集成したコンピュータは、コンピュータ本体１００及びそれのシステムを備える。コンピュータ本体１００に、ＰＳＴＮ電話インタフェース１０１及びネットワークインタフェース１０２が含まれている。
【００１９】
コンピュータに電話インタフェースモジュール１０３が含まれることにより、ＰＳＴＮネットワークが回路インタフェース及び信号に対しての様々な要求を実現し、且つリング、オフフック、マシンの検出及びラインの保護などの機能を達成する。
【００２０】
コンピュータにおいて、ダイヤルアップ及び電気音響変換の機能のため、キーボタン付き受話器１０６が含まれている。電力を供給しない場合、デジタル制御回路１１０は電話インタフェースモジュール１０３を直接的に該受話器１０６に接続するとともに、ＰＳＴＮバッテリーから駆動を獲得して、ＰＳＴＮ電話の通話機能が実現されることもできる。コンピュータにおいてデジタル制御回路１１０及びそのソフトウェアが含むことにより、ネットワーク電話及びＰＳＴＮ電話に対する管理と切り替えを達成するとともに互いに自動的にスイッチングする機能を実現する。ネットワークインタフェース１０２からのＩＰ信号は、コンピュータＬＡＮカード１０４及びコンピュータサウンドカード１０５の処理によってアナログオーディオ信号に変換され、その後、デジタル制御回路１１０を通じて受話器１０６に送信され、又は更に電話インタフェースモジュール１０３を介してＰＳＴＮ電話インタフェース１０１に送信され、通じて更にＰＣＭモジュール１２１を通じて無線トランシーバモジュール１２２に送信され、その後、アンテナを通じて携帯電話１２３まで送信される。コンピュータサウスブリッジ２００は、コントロールソフトウェアの管理で、それのＧＰＩＯバスを通じて、電話インタフェースモジュール１０３、デジタル制御回路１１０、無線トランシーバモジュール１２２等のモジュールに対して制御を実現する。
【００２１】
制御ソフトウェアによって、電話のクリックボタンがコンピュータのディスプレイに表示されるとともに、コンピュータのキーボード/マウスを通じてＰＳＴＮ電話をかけること及び電話を自動応答することができる。
【００２２】
ソフトウェア制御によって、ファックスしようとする図面と文字の電子文書が、標準的なファックスエンコーディングフォーマットに変換されて、変調を介して電話線に送信される。
【００２３】
好ましい方案として、このコンピュータシステムに、ＰＣＭモジュール１２１及び無線トランシーバモジュール１２２（これはブルートゥース、８０２.１１、８０２.１６又は他のデジタル無線通信モードなどであることができる）が含まれて、一つ又は複数のマッチング携帯電話１２３に合わせて、コードレス電話の通信システムを構成する。
【００２４】
受話器１０６又は携帯電話１２３にカメラが取り付けられる場合、ビデオつき又はビデオなしのインターネットチャットを実現し、インターネットチャットを固定電話をする習慣に一致させることができる。これがチャットツールをサポートすることができる。
【００２５】
携帯電話１２３にタッチパネルが採用される方案において、該タッチパネルがコンピュータのワイヤレスマウス及び/又はタブレット入力と、コンピュータの第二ディスプレイと、に用いられることができる。ユーザーが携帯電話１２３をつうじて簡単にチャットを行い、又はテキストメッセージを送受信することができる。
【００２６】
前記コンピュータシステムは、デスクトップコンピュータ、ノートパソコン及び他の簡単なパソコンを含む。
【００２７】
図３は、本考案のユニバーサル電話機能を集成したコンピュータの第二実施例のブロック図である。それは、コンピュータホスト、ネットワーク電話のアクセスユニット３３０、固定電話のアクセスユニット３４０、オーディオ入力及び出力モジュール３０６、及びデジタル制御ユニット３１０などを備える。
【００２８】
前記コンピュータ本体は、コンピュータ制御ユニットを含む。前記コンピュータ制御ユニットは、前の実施例に記載されたコンピュータサウスブリッジ２００であることができ、ＧＩＰＯバスを通じてネットワークのアクセスユニット、固定電話のアクセスユニット３４０、及びデジタル制御ユニット３１０などに対して制御を実現する。
【００２９】
前記ネットワーク電話のアクセスユニット３３０は、ネットワークインタフェース３３２と、ネットワークインタフェースモジュール３３４と、及びオーディオ処理モジュール３３５と、を備える。該ネットワークインタフェース３３２をインターネットに接続することによって、インターネット側からの信号を受信し、信号をインターネットに送信する。
【００３０】
該ネットワークインタフェースモジュール３３４を、ネットワークインタフェース３３２及びオーディオ処理モジュール３３５に接続することにより、インターネットインタフェース３３２からの信号を処理して、そのうちの音声信号をオーディオ処理モジュール３３５に送信し、音声信号をネットワークインタフェース３３２に送信して更にインターネットに送信する。このネットワークインタフェース３３２及びネットワークインタフェースモジュール３３４は、例えば有線ＬＡＮや無線ＬＡＮ等の従来の各種のＬＡＮカードを利用することができる。
【００３１】
該オーディオ処理モジュール３３５を、デジタル制御ユニット３１０に接続することにより、ネットワークインタフェースモジュール３３４からの音声信号を処理して、デジタル制御ユニット３１０に送信するとともに、デジタル制御ユニット３１０からの音声信号を処理して、前述ネットワークインタフェースモジュール３３４に送信する。該オーディオ処理モジュール３３５は、例えば分立サウンドカード又はオンボードサウンドなどの従来の各種のサウンドカードを利用することができる。
【００３２】
該固定電話のアクセスユニット３４０は、有線公衆電話のアクセスユニットと、無線電話のアクセスユニットと、を含み、いずれか一種の固定電話を配置し又は同時に配置することができる。
【００３３】
該市内電話のアクセスユニットは、有線公衆電話ネットワークに接続する電話インタフェース３４１と、電話インタフェース３４１及びデジタル制御ユニット３１０に接続する電話インタフェースモジュール３４３と、を備える。該電話インタフェースモジュール３４３は、有線公衆電話ネットワークとの接続を確立して、有線公衆電話ネットワークからの音声信号を前記デジタル制御ユニット３１０に出力するとともにオーディオ入力と出力モジュール３０６からの音声信号を有線公衆電話ネットワークに出力するために用いられる。更に、従来の市内電話機のリング、オフフック、並列検出及びラインの保護などの機能を実現することができる。理解できるのは、該有線公衆電話ネットワークが、ＰＳＴＮ電話ネットワーク、ＩＳＤＮ電話ネットワーク又は他の有線公衆電話ネットワークであることができる。
【００３４】
該無線電話のアクセスユニットは、無線電話インターネットに接続する無線電話インタフェース３４２と、無線電話インタフェース３４２及びデジタル制御ユニット３１０に接続する無線電話インタフェースモジュール３４４と、を備える。該無線電話インタフェースモジュール３４４は、無線電話ネットワークとの接続を確立して無線電話ネットワークからの音声信号をデジタル制御ユニット３１０に出力するとともにオーディオ入力と出力モジュール３０６からの音声信号を無線電話ネットワークに出力するために用いられる。更に、既存の無線電話のリング、オフフック、並列検出およびラインの保護などの機能を実現することができる。
【００３５】
更に、前記コンピュータはビデオ入力と出力ユニットを備える。該ビデオ入力と出力ユニットは、デジタル制御ユニット３１０に接続し、固定電話のアクセスユニット３４０又はネットワーク電話のアクセスユニット３３０からのビデオ信号を出力し、入力したビデオ信号を固定電話のアクセスユニット３４０又はネットワーク電話のアクセスユニット３３０により外に送信される。
【００３６】
該オーディオ入力と出力モジュール３０６は、デジタル制御ユニット３１０に接続する受話器を採用することができる。該ビデオ入力と出力ユニットは、受話器に組み合わせることができ、即ち、受話器にカメラ及びディスプレイが配置されるとよい。
【００３７】
更に、該オーディオ入力と出力モジュール３０６は、無線オーディオ入力と出力モジュール３０６を含むことができる。該無線オーディオ入力と出力モジュール３０６は、デジタル制御ユニット３１０に接続するＰＣＭモジュール３２１と、ＰＣＭモジュール３２１に接続する無線トランシーバモジュール３２２と、無線トランシーバモジュール３２２に接続する無線受話器と、を備える。もちろん、無線受話器にカメラ及びディスプレイが配置されることにより、ビデオ通話機能を実現することができる。
【００３８】
電力がある場合、ネットワーク電話を利用して通話を行うことで、通話のコストを低下することができる。具体的に、オーディオ入力と出力モジュール３０６（受話器）のキーボードを利用してダイヤルを行い、デジタル制御ユニット３１０はダイヤルの信号をネットワーク電話のアクセスユニット３３０に送信してダイヤルを行う。受話者に通信連絡を確立する後、オーディオ入力と出力モジュール３０６を通じて音声の出力が行われて、デジタル制御ユニット３１０に送信し、ジタル制御ユニット３１０が音声信号をネットワーク電話ユニットのオーディオ処理モジュール３３５に送信し、音声信号がオーディオ処理モジュール３３５に処理されてデジタル信号に変換され、その後、デジタル信号がネットワークインタフェースモジュール３３４に処理されて、例えばネットワークパケットが生じて、インターネットインタフェース３３２を通じて受話方に送信する。
【００３９】
ネットワークからのネットワークパケットがインターネットインタフェース３３２を通じて受信されて、ネットワークインタフェースモジュール３３４によって受信した信号に対して処理されて、そのうちの音声信号をオーディオ処理ユニットに送信し、オーディオ処理ユニットによってそれをアナログ音声信号に変換し、更にジタル制御ユニット３１０に送信し、デジタル制御ユニット３１０によってオーディオ入力と出力モジュール３０６に分配発送してプレイバックを行い、従って通話を実現する。もちろん、ビデオの信号を増加することによりビデオ通話を実現することもできる。
【００４０】
停電する場合又は固定電話を利用して通話をしたい場合、デジタル制御ユニット３１０は直接に市内電話アクセスユニットをオーディオ入力と出力モジュール３０６に接続し、ＰＳＴＮバッテリーからパワー駆動を得て、まだＰＳＴＮ電話の機能を実現することもできる。もちろん、デジタル制御ユニット３１０は、無線電話ユニットをオーディオ入力と出力モジュール３０６に接して無線電話機能を実現することもできる。
【００４１】
以上の考案は具体的な応用において、技術開発者が具体的な状況によって、調整や変更を行うことが可能である。本考案の実施形態における説明は本考案の方案による好ましい事例に過ぎず、本考案の方案に対しての制限として理解されることができない。
【符号の説明】
【００４２】
１００  コンピュータ本体
１０１  ＰＳＴＮインタフェース
１０２  ネットワークインタフェース
１０３  電話インタフェースモジュール
１０４  コンピュータＬＡＮカード
１０５  コンピュータサウンドカード
１０６  受話器
１１０  デジタル制御回路
１２１  ＰＣＭモジュール
１２２  デジタル無線トランシーバモジュール
１２３  コードレス携帯電話
２００  コンピュータサウスブリッジ
３３０  ネットワーク電話のアクセスユニット
３３２  ネットワークインタフェース
３３４  ネットワークインタフェースモジュール
３３５  オーディオ処理モジュール
３４０  固定電話のアクセスユニット
３４１  電話インタフェース
３４３  電話インタフェースモジュール
３４２  無線電話インタフェース
３４４  無線電話インタフェースモジュール
３０６  オーディオ入力及び出力ユニット
３１０  デジタル制御ユニット
３２１  ＰＣＭモジュール
３２２  無線トランシーバモジュール